(57)【要約】本発明は、受領されるか又は送付される小箱又は小包郵便物のための収容容器３に関し、この収容容器３は、小箱又は小包郵便物をこの収容容器３に入れることができる閉止可能な開口４を有する。この収容容器３は、この収容容器３が家屋又はアパートのドア１に、特に各場合で構造物工事を行うことなく、固定することができるか又はこのドア１から外すことができる固定要素３ｂを備える。本発明は更に、配送業者によるそのような収容容器３を有する受領者への小箱又は小包の配送のための方法に関する。【選択図】図１
2016515415.tif 000002
【特許請求の範囲】
【請求項１】
受領されるか又は送付される小箱又は小包郵便物のための収容容器（３）であって、該収容容器（３）は、小箱又は小包郵便物を該収容容器（３）に入れることができる閉止可能な開口（４）を有し、
該収容容器は、該収容容器（３）が家屋又はアパートのいずれかのドア（１）に、特に各場合で構造物工事を行うことなく、固定することができるか又は該ドア（１）から外すことができる固定要素（３ｂ）を備えることを特徴とする、受領されるか又は送付される小箱又は小包郵便物のための収容容器。
【請求項２】
前記固定要素（３ｂ）はつまみ（３ｂ）として形成され、該つまみ（３ｂ）は、一端が前記収容容器（３）に、特に前記収容容器（３）の前記ドア（２）に向かう後部端に固定され、ドアパネル（１）とドアフレーム（２）との間の隙間又はドアパネル（１）と床（１１）との間の隙間に入れることが可能であり、特に所定の位置に固定することができ、特に前記ドア（２）の閉止によって留めることができることを特徴とする、請求項１に記載の収容容器。
【請求項３】
前記収容容器（３）の前記収容つまみ（３ｂ）は柔軟性のある二次元要素、特にテキスタイル要素から形成されることを特徴とする、請求項１又は２に記載の収容容器。
【請求項４】
前記つまみ（３ｂ）は他方の端部において厚みのある部分（３ｃ）を有することを特徴とする、請求項２又は３に記載の収容容器。
【請求項５】
前記固定要素は、反対要素と協調するように設定され、該反対要素は、構造物工事による一回限りの作業でドアに固定することができ、前記固定要素及び前記反対要素は、特に該要素を互いに連結係合させることによって、構造物工事を行うことなく取り外し可能に相互接続することができることを特徴とする、請求項１に記載の収容容器。
【請求項６】
前記収容容器（３）は少なくとも大部分が、好ましくは全てが少なくとも１つのテキスタイルから、特にバッグ、ネット、又は折り畳み式の箱として形成されることを特徴とする、請求項１〜５に記載の収容容器。
【請求項７】
前記収容容器（３）は、特に移動電話ネットワーク又はＷＬＡＮを介した通信のための通信部を備え、該通信部によって、通信メッセージを送信又は受信することができることを特徴とする、請求項１〜６に記載の収容容器。
【請求項８】
前記通信部は、
ａ．小箱又は小包郵便物を入れた後に前記収容容器を閉止すると、特にトリガー要素の作動後に又はメッセージの受信後に、特に配送業者からメッセージを登録通信アドレスに送信するように設定され、及び／又は、
ｂ．特に配送業者又は所有者から、特に登録通信アドレスからメッセージを受信するように設定され、該受信メッセージに応じて、閉止機構を作動し、特に該機構を用いて前記開口を閉止するか又は解放するように設定される、
ことを特徴とする、請求項７に記載の収容容器。
【請求項９】
前記通信部は、特に発送追跡から生成される情報に応じて、小箱又は小包郵便物の間近の受領を示すように設定されることを特徴とする、請求項７又は８に記載の収容容器。
【請求項１０】
前記通信部、特に該通信部と通信するデバイス、好ましくは配送業者及び前記収容容器の所有者のデバイスも、ドイツ連邦共和国のＤＥ−Ｍａｉｌ法の要件又はＥＵ指令２００６／１２３／ＥＧの同等な法的実施の要件に従う通信を行うように設定されることを特徴とする、請求項７〜９に記載の収容容器。
【請求項１１】
前記収容容器（３）は閉止機構、特に電気的に作動可能なロックを備え、特に該閉止機構は、トリガー要素を作動させることによって、又は該閉止機構と動作上接続される通信部を用いて通信メッセージを受信することによって、作動可能であり、好ましくは閉止可能であることを特徴とする、請求項１〜１０に記載の収容容器。
【請求項１２】
取り付け要素（１２）は前記収容容器に配置され、前記収容容器（３）の容積に合わない郵便物を該収容容器（３）に固定することを特徴とする、請求項１〜１１に記載の収容容器。
【請求項１３】
配送業者による受領者への小箱又は小包の配送のための方法であって、
前記配送業者は配送される小箱又は小包を、ドア（２）に一時的に固定されている収容容器（３）に入れ、該収容容器（３）を閉止し、その結果として、該小箱／小包は前記収容容器（３）に前記受領者によって取り出される準備ができているように置かれることを特徴とするか、又は、
送付者が配送される小箱又は小包を、ドア（２）に一時的に固定されている収容容器（３）に入れ、該収容容器（３）を閉止し、その後、配送業者は前記収容容器（３）を開放し、前記小箱／小包を取り出し、前記配送を行うことを特徴とし、前記収容容器（３）は各場合において請求項１〜１１のいずれかに従って形成される、配送業者による受領者への小箱又は小包の配送のための方法。
【発明の詳細な説明】
【技術分野】
【０００１】
本発明は、受領又は送付される小箱又は小包郵便物のための収容容器であって、この収容容器に小箱又は小包郵便物を入れることができる閉止可能な開口を有する収容容器に関する。さらに、本発明はまた、配送業者による受領者への小箱又は小包の配送のための方法に関する。
【背景技術】
【０００２】
冒頭で述べたタイプの収容容器は、例えば、いわゆる郵便箱という形で、従来技術から原理的には知られている。そのような郵便箱は、家屋に実施される構造物工事によって、入口エリアにおいて家屋に移動不能に固定されるように意図され、それにより配送業者によって受領者の影響範囲において受領者に通常は有効に配送することができる手紙の形式での郵送を可能とする。
【０００３】
郵便箱における多くの場合にスロット形状にすぎない開口を通じて郵便箱に普通は入れることができない小箱又は小包郵便物は、配送業者がそのような郵便物を直接的に手渡しするよう試みるようにして、すなわち、配送の試みにおいて、この配送業者が家屋のドア又はアパートのドアでベルを鳴らし、その後、通常は受領証明と引き換えにして、小箱又は小包郵便物を直接的に手渡しするようにして、通常は配送される。
【０００４】
他方で、受領者が自宅に不在であることが分かった場合には、通知カードが残され、受領者はその後、中央集積場所においてその受領者宛ての郵便物を受け取らなければならないか、又は第二の配送の試みが合意される。多くの場合、配送業者はまた、配送される郵便物を隣人に預けるため、受領者はその場合、その受領者の郵便物をこの隣人から受け取らなければならない。
【０００５】
ここで、受領者が個人的に自宅に不在であることが分かる度に、その受領者がその受領者宛ての小箱又は小包郵便物を受領するための新たな手配、すなわち、例えば、集積場所若しくは隣人から個人的に受け取ること又は第二の配送に同意することによる新たな手配をするように強いられることは、不利益なことであると認識されている。
【０００６】
これは特に時間がかかり、不便であるため、受領者はまた多くの場合、特に第二の配送の試みの際には、配送業者に配送される郵便物を合意した場所、例えば、家屋のドア又はガレージに置くことを許可する。しかし、そのような行動は、郵便物の損失のリスクを常に伴う。
【０００７】
郵便箱と比較してかなり大きくされた代替的な収容容器もまた、従来技術から知られるようになった。これらは、家屋のれんが積みにセットされるように意図されるか、又はそうでなければ、家屋内又は家屋上又は関連する敷地上に恒久的に固定されるように意図され、それにより通常の手紙の形式を超えた小箱又は小包郵便物を保持することも可能とする。
【０００８】
しかしながら、そのような収容容器は、家屋又はアパートに対して比較的に大規模な構造的手段を実施しなければならず、これはまた特に、その家屋又はアパートの住人が同時に所有者ではなく、単に賃借人であるときに可能ではないという不利益を有する。そのような手段はまた、非常にコストがかかる。
【発明の概要】
【発明が解決しようとする課題】
【０００９】
したがって、本発明の目的は、当該受領者又は送付者が自宅に不在であることが分かった場合でさえ、手紙の形式を超えた郵便物、特に小箱又は小包郵便物を有効に配送するための、簡単な方法で一時的に使用することができる冒頭で述べたタイプの収容容器を提供することである。さらに、そのような収容容器と合わせて小箱又は小包郵便物を配送するための方法を提供することが目的である。この点において、「配送」とは、配送業者の活動を意味するものと理解され、配送業者が受領者の自宅で郵便物を手渡すことと、また送付者の自宅から郵便物を収集することとを両方含むことに注意しなければならない。したがって、好ましくは、収容容器は、受領者が郵便物を受領することと、また送付者が郵便物を送付することとのために使用することができなければならない。
【課題を解決するための手段】
【００１０】
この目的は、冒頭で述べたタイプの収容容器によって達成され、この収容容器は、固定要素を備え、その固定要素によって、この収容容器が必要に応じて、特に一時的に、家屋又はアパートのいずれかのドアに固定することができるとともに、外すことができ、特にそのため各場合において構造物工事を行うことなく一時的に使用することができるという点で、本発明により改良されている。
【００１１】
したがって、本発明の本質的概念は、例えば受領者が小箱又は小包郵便物の配送を予期して、その後本発明に係るタイプの収容容器を家屋又はアパートのドア上で利用可能にし、例えば小箱又は小包郵便物等の配送される郵便物が従来の郵便箱に入らないような配送を果たすときに、家屋又はアパートのドアにしっかりと固定されることもないし、所有物のれんが積みの中で又はれんが積みに直接的に固定されることもなく、そのため恒久的な設置を表さず、単に使用される、すなわち一時的に使用される収容容器を提供することである。
【００１２】
また、そのような収容容器の所持者／所有者は、配送業者による収集のために小箱又は小包郵便物をその中に入れるために、その収容容器をその容量内で送付者として使用することができる。そのため、送付者は同様に、その送付者の不在時に、送付を果たすことができる。本発明に係るデバイスは、小箱／小包郵便物を送付するために使用されるときであっても、「収容容器」と呼ばれ、その理由は全ての場合においてこのデバイスは収容することに常に適しているからである。
【００１３】
したがって、従来の郵便箱の体積を超える容積を有し、特に、手紙郵便物を投函するためのみに通常は設けられている、郵便箱において通常設けられる開口よりも大きな断面積を有する閉止可能な開口も有する収容容器を利用可能とすることを可能にすることができる。
【００１４】
本発明に係る１つの構成は、したがって、少なくとも国固有の配送業者の標準的な包装、例えば、ＤＨＬ又はドイツポストの包装等のＤＩＮ規格に従う包装を本発明に係る容器に保持することができるように、そのような収容容器の開口及び容積の両方を選択することを可能にすることができる。
【００１５】
したがって、本発明に係る収容容器は、好ましくは、第一の実施形態では、少なくともいわゆるＸＳ箱セットすなわち寸法２２．５ｘ１４．５ｘ３．５ｃｍを有する小箱を保持するように、第二の実施形態では、少なくともサイズＳの箱セットすなわち少なくとも寸法２５ｘ１７．５ｘ１０ｃｍの小箱を保持するように、第三の好ましい実施形態では、サイズＭの箱セットすなわち少なくとも３７．５ｘ３０ｘ１３．５ｃｍの外形寸法を有する小箱を保持するように、第四の更なる好ましい実施形態では、サイズＬの箱セットすなわち少なくとも４５ｘ３５ｘ２０ｃｍのサイズの小箱を保持するように提供される容積及び対応する開口を有することができる。
【００１６】
１つのそのような、特に最後に言及される実施形態は、受領者の不在時にでさえ、通常の小箱又は小包郵便物のうちの大部分を配送することができるか、又は本発明に係る収容容器によって送付者の不在時に発送することができることを確実にする。
【００１７】
本発明に係る収容容器の１つの更なる好ましい変形形態は、そのような収容容器を、家屋又はアパートのドアに固定することができ、いかなる構造物工事も行うことなく再び完全に外すことができることを可能にすることができる。
【００１８】
このために、本実施形態は、収容容器の固定要素がつまみとして形成され、このつまみは、一端が収容容器、特に収容容器のドアに向かう後部端に固定され、ドアパネルとドアフレームとの間の隙間又はドアパネルと床との間の隙間に入れることが可能であり、特にそれによって、ドアを閉めたときに、このつまみ及びそれゆえ収容容器全体は所定の位置に固定され、特に留めることができることを可能にすることができる。
【００１９】
そのような実施形態は、小箱若しくは小包郵便物を受領することを予期しているときに受領者が、又は送付者が、ドリル加工、接着、レンガ積み等のいかなる構造的手段も用いることなく本発明に係る収容容器をドアに固定し、その後、配送が行われると、同様にいかなる構造的手段も用いることなくこの収容容器を再度外すこともできるという特定の利益を有する。したがって、そのような収容容器は一時的にのみ用いることができ、その結果、そのような大きな収容容器によって恒久的な視覚上の妨害物が生み出されることもない。
【００２０】
ここで、１つの実施形態は、例えばドアパネルとドアフレームとの間の隙間又はドアパネルと床との間の隙間に入れることが可能なつまみを、例えば、このつまみの形状が例えば床領域の隙間形状に適合し、又は上部領域若しくは後部領域のドアパネルの切り込み形状に適合するようなタイプの強固なつまみとすることを可能にすることができる。ここで、その形状及び強固さに起因して、つまみはドアが一度閉められると、隙間を通じて引き抜くことができない。
【００２１】
他方では、更に好ましい１つの実施形態は、一端が収容容器に固定されているつまみが、柔軟性のある二次元要素、例えばテキスタイルの二次元要素から形成され、その結果、この二次元要素は、例えば地面レベル又は代替的にドアの上部切り込み領域において、それぞれの隙間形状に自動的に適合することを可能にすることができる。
【００２２】
ドアパネルと床との間又はドアパネルとドアフレームとの間に留められるそのようなつまみが、隙間領域から単に引っ張ることによって外すことができてしまうことを防ぐために、本発明に係る好ましい１つの展開は、このつまみが他方の緩い端部において厚み部分を有することを可能にすることができ、特にドアパネルと床との間の従来の隙間寸法又はドアパネルとドアフレームとの間の従来の隙間寸法よりも断面においてより厚い厚み部分を有することを可能にすることができる。
【００２３】
例えば、この場合、テキスタイルのつまみの場合には、つまみの端部を上向きにして少なくとも一回、好ましくは数回縫い合わせることもできるし、つまみの端部は収容ポケットを形成することもでき、この収容ポケットの中には、特にロッドの断面積が隙間寸法よりも大きな、例えばロッド形の物品が入れられる。
【００２４】
したがって、前述したタイプの収容容器は、各場合に必要に応じてドアに固定され、その際に、収容容器に設けられたつまみがドアパネルの上端部とドアフレームとの間に留められている場合には、ドアパネルの上部領域からかけられるようにして配置されるという、特定の利益を有する。このために、好ましくは、つまみは収容容器の上方後部領域に設けることができる。同様に、つまみがドアの下端部と床との間の細隙を通る場合には、収容容器を、小箱又は小包郵便物を収容するか又は送付するために、一時的に床に置くことができる。このとき、つまみは収容容器の下方後部領域に設けることができる。
【００２５】
収容容器が、壁、特にそこからつまみが連なり始めるか、又は伸長し始める後部壁を有する場合には、同一の収容容器を、両方のタイプの配置のために用いることができる。このとき、容器を後部壁がドアにかかった状態で置くことができるが、代替的に、後部壁が地面に向けられた状態で配置することができる。
【００２６】
別の実施形態は、本発明に係るタイプの収容容器は構造物工事を全く行わないと上手くいかないが、一回限りの初期構造物工事の後に、収容容器がその後一時的に家屋のドアに固定されるか又は再び家屋のドアから外される場合には、少なくともいかなる構造物工事も必要としないことを可能にすることができる。
【００２７】
この場合、反対要素と協調するように固定要素を収容容器に位置付けることを可能とすることができ、この反対要素は、一回限りの作業で構造物工事によりドア又は所有物の他の部分に固定することができ、そして固定要素と反対要素とを、例えば、要素を互いに連結係合させること等によって、いかなる構造物工事も行うことなく、取り外し可能に相互接続することができる。
【００２８】
したがって、反対要素をドアに固定するか、又は代替的に入口エリアの壁領域等の所有物の異なる要素に固定するために、一回限りのみの構造物工事が必要とされる。
【００２９】
このとき、本発明に係る収容容器の所持者／所有者は、この収容容器を反対要素に一時的に固定、すなわちこの収容容器に配置された固定要素を任意選択的に用いて固定することもできるし、この反対要素から外すこともできる。収容容器が使用されていない間には、したがって、単に反対要素がドアに固定されるか、又は一般的には、例えば代替的に壁であるような所有物に固定される。
【００３０】
所有者が所望し、実施する場合には、この収容容器の恒久的な固定もまた本発明に従っている。
【００３１】
前述した固定の変形形態の双方と組み合わせることができる１つの実施形態は、少なくとも大部分が、好ましくは全てがテキスタイルから形成される収容容器を提供することができる。
【００３２】
したがって、例えば、収容容器はバッグ、ネット、又はテキスタイルの折り畳み式の箱として構成することができる。これは、特に収容容器が地面に配置され、例えばつまみを用いてドアパネルの下端部と床との間に固定されているときに、満たされていない状態の収容容器をより目立たなくすることができるという利益を有する。
【００３３】
ドアの上端部にかけて固定する場合でさえ、そのようなテキスタイルの収容容器はドアに対して平坦に置かれることになり、ほんのわずかしか突出しないが、その柔軟性に起因して、原理的には大きな体積をもたらし、内部に小箱又は小包郵便物を保持することができる。
【００３４】
このために、例えば、地面に置かれている収容容器の場合、底壁及び上壁を、例えばこれらの間に配置される折り畳み可能な／組立可能な側壁を折り畳むことによって、互いに向かって移動可能とすることを可能にすることができる。ドアにかけられる収容容器の場合、後壁及び前壁を、柔軟性があり、特に、折り畳み可能な／組立可能な側壁によって互いに向かって移動可能とすることを可能にすることができる。
【００３５】
特に、本発明に係るタイプの地面に置かれている収容容器の場合、折り畳み可能な又は組立可能なデザインの場合、本発明に係る収容容器はドアマットの印象を与えることができ、それゆえ、より視覚上目立たなくすることができ、任意選択的に実際にドアマットとしても用いることができる。
【００３６】
前述した全ての実施形態と組み合わせることができる、本発明に係る好ましい１つの展開は、収容容器が、通信部、特に移動電話ネットワーク又は無線ネットワーク（ＷＬＡＮ）を介した通信のための通信部を備えることを可能にすることができ、それにより、そのような通信部によって通信メッセージを送信及び／又は受信することができる。
【００３７】
特に、本発明に係るタイプの収容容器の所有者が家屋内に無線ネットワークを準備している場合には、そのようなＷＬＡＮを介しての通信のための通信部を設計することが有利である場合がある。
【００３８】
そのような無線ネットワークが準備されていない場合、移動電話ネットワークを介したメッセージを送信するための、例えばＧＳＭ（登録商標）又はＧＰＲＳ規格に準拠するＳＩＭカードを有する通信部を備えることが有利である場合である。
【００３９】
１つの展開では、例えば、小箱又は小包郵便物が入れられ、収容容器を閉じたときに、登録通信アドレス、例えば、収容容器の所有者の通信デバイスに通信部がメッセージを送信するように設定することを可能にすることができる。
【００４０】
このようにして、受領者は自身の郵便物を受領したことを自動的に通知され、例えば、収容容器から郵便物を取り出すために自宅に直行するか、又は収容容器の安全な閉止若しくは指名した第三者による郵便物の収集等の、他の手段を取るか若しくは取ってもらうかのように、更なる進め方を任意選択的に決めることができる。
【００４１】
例えば、トリガー要素が作動されると、メッセージを前述した登録通信アドレスに送信することを可能にすることができ、これは、小箱又は小包郵便物が収容容器の内部に入れられると、例えば配送業者によって実行することができる。そのようなトリガー要素は、例えば、作動部上及び／又は収容容器のディスプレイ上に配置することができる。
【００４２】
同様に、同一の通信部がメッセージを以前に受信すると、そのメッセージを送信することもできる。
【００４３】
例えば、配送業者が収容容器の通信部にメッセージを送信することをここで可能にすることができ、その結果、メッセージの転送又は登録通信アドレスによる受領者への別のメッセージの生成がトリガーされる。
【００４４】
代替的に又は組み合わせて、例えば配送業者又は所有者からのメッセージを収容容器の通信部の通信アドレスに送信することによって、通信部がこのメッセージを受信することを可能にすることができ、この通信アドレスはここで用いられ、例えば受領者にとって既知であり、又は例えば、収容容器の外部において配送業者のために与えることもでき、それによって、例えば閉止機構を作動させる等の、受信メッセージに依存した動作をトリガーし、特にこの閉止機構によって、収容容器の開口を閉止することもできるし、代替的に塞ぐこともできる。そのため、例えば、収容容器の閉止は、配送業者によって、又は受領者によってトリガーされる受信メッセージによって発生することができる。
【００４５】
同様に、閉止は、メッセージが入れられたというメッセージによって受領者が通知を受けて、受領者自身の返信によって閉止を有効化するまで、任意選択的に発生しないことができる。
【００４６】
受領者又は任意選択的には許可された第三者、例えば配送エージェントも、例えば地理的に不在であるときにも、メッセージを送信して収容容器の通信部によって受信されることによって、収容容器の開放又は再開放を引き起こすこともでき、それにより、受領者又は許可された第三者は、受領者自身又は第三者自身に収容容器へのアクセスを与えることができ、それにより、受領者又は許可された第三者は、収容容器から小箱又は小包郵便物を取り出すことができる。
【００４７】
この機能はこのため、受領オプションに加えて、送付オプションの使用も可能にし、送付オプションでは、収容容器の所持者は自宅から便利に小箱／小包郵便物を郵送するためにこのオプションを使用し、その後、小箱／小包郵便物は、配送業者によってこのようにして収集及び送付されることが可能である。
【００４８】
例えば、送付される小箱／小包郵便物が入れられると、通信部から配送業者にメッセージを送ることができ、配送業者はこれによって、郵便物が収集を待っていることを通知される。
【００４９】
前述した実施形態と組み合わせることもできる１つの更なる実施形態は、例えば、発送追跡データから生成される情報に応じて、通信部が小箱又は小包郵便物の間近の受領を示すように設定することを可能にすることができる。
【００５０】
例えば、小箱又は小包郵便物の送付は、発送追跡番号を用いてインターネット上で追跡することができ、それによって、郵便物の配送業者と受領者の双方が、この情報を問い合わせることによって、彼らに宛てられた小箱又は小包郵便物の所在についていつでも通知を受けることができることが、従来知られている。
【００５１】
発送ルート上の小箱又は小包郵便物の所在についての情報／データの存在により、例えば、配送業者によってトリガーされるメッセージを通信部に送信することによって、又は収容容器の通信部の側でメッセージを問い合わせることによって、配送時間、特に配送が意図される／予期される時間を通信部に伝え、上記通信部は次に、例えば、視覚的に又は音声的に又は移動電話対応データ端末へのメッセージによって、通常は収容容器の所有者である受領者に予期されるそのような配送を示すことを可能にすることができ、それによって、収容容器の所有者は、不在中にでさえ配送を果たすために、その収容容器をドアに固定する。
【００５２】
本発明に係る又は本発明とともに実行される方法ステップの収容容器の１つの展開は、収容容器の通信部、特にまた、配送業者のデバイス又は収容容器の所有者のデバイス及び特に前述した登録通信アドレスに所属するデバイス等の、この通信部と通信するデバイスが、各場合にドイツ連邦共和国のＤｅ−Ｍａｉｌ法の要件又はＥＵ指令２００６／１２３／ＥＧの同等な法的実施に従った通信を行うように設定することを可能にすることができる。
【００５３】
このようにして、本発明に係るタイプの収容容器又はこの収容容器とともに実行される方法によって、法的に有効な配送を達成することも可能である。
【００５４】
本発明に係る収容容器の１つの実施形態は更に、閉止機構、特に電気的に作動可能なロックの形態での閉止機構を収容容器が備えることを可能にすることができ、特にこの閉止機構は、トリガー要素を作動させることによって、又は閉止機構と動作上接続される通信部を用いて通信メッセージを受信することによって、作動可能であり、好ましくは閉止可能である。
【００５５】
この場合、これは特に、通信メッセージを受信又は送信するための既に前述した通信部とすることができる。
【００５６】
したがって、収容容器は、通信メッセージを受信することによって、又は前述のトリガー要素の作動によって、例えば配送業者によって直接的に又は収容容器の所有者によって閉止することができる。
【００５７】
ここで、１つの展開はまた、小箱郵便物又は小包郵便物が実際にも収容容器の内部に入れられているときのみに、閉止が発生することができることを可能にすることができる。
【００５８】
これを確認するために、そのような収容容器は内部監視手段を有し、それにより、物品が実際に収容容器の内部に入れられたかどうかを確認することを可能にすることができる。
【００５９】
同様に、ドアにかけられる収容容器の場合、計量装置をつまみ又はつまみと収容容器との間の遷移領域に配置することを可能にすることができ、このデバイスは、入れられた郵便物の重量を記録する。この場合、重量の記録は、必ずしも重量が正確なグラムで記録されることを意味せず、むしろこの場合では、小箱又は小包郵便物が入れられる結果として、重量負荷をそもそも確認することで十分である。
【００６０】
したがって、作動が前述した監視デバイス、特に内部監視手段又は計量装置によって有効化されるときのみに、閉止機構を作動させることができること、特に、閉止機構が本発明に係るタイプの収容容器を閉止することを可能にすることができる。
【００６１】
本発明に係る収容容器の容積が小箱又は小包郵便物の配送に対して十分大きいように形成されないことが発生する場合もあるため、本発明に係る１つの展開は、収容容器に配置される更なる取り付け要素、特に、取り出されて収容容器の容積に合わない郵便物を収容容器に固定する取り付け要素を提供することもできる。
【００６２】
例えば、単純な構成では、これはスチールケーブルとすることができ、その端部は収容容器の内部から引き抜くことができて、配送される物の周りを又は物を通って引かれ、そしてこれらの物はケーブル又は収容容器に固定される。配送される物はこのようにして収容容器にこの取り付け要素を介してしっかりと固定され、収容容器はドアにしっかりと固定されるため、全体的に見て、少なくとも力を用いることなくしては、何も盗むことはできない。スチールケーブルの代わりに、ネット、例えばワイヤネットを準備することもできる。
【００６３】
さらに、前述した全ての実施形態と組み合わせることができる本発明に係る１つの展開は、収容容器の中に又は収容容器上に配置されるアラーム装置を提供することもでき、このデバイスは、収容容器の許可のない開放を確認するように構成され、許可のないアクセスが検出された場合には、例えば、視覚的に、音声的に、又は所有者に通信メッセージを送信すること、例えば、メッセージを例えばＳＭＳ若しくはＭＭＳ若しくはｅメールによって登録通信アドレスに送信することによって、アラームをトリガーするように構成される。
【００６４】
アラーム装置はまた、許可のないアクセスの画像を撮影し、任意選択的にはそれを保存するか又はメッセージに添付して送信するカメラを備えることができる。
【００６５】
本発明の実施形態は、以下の図を参照して説明される。
【図面の簡単な説明】
【００６６】
【図１】本発明に係る収容容器の本実施形態におけるドアパネル及びドアフレームの一部分の概略図である。
【図２】本発明に係る収容容器に郵便物が入れられる手続を示す図である。
【図３】本発明に係る収容容器が地面に置かれるように固定することもできることを示す図である。
【図４】本発明に係る収容容器の寸法が全ての小包郵便物の少なくとも８０％を収容することができるように選択されることを示す図である。
【図５】本発明に係る収容容器を用いてより大きな小箱郵便物を安全に配送することを可能にする変形形態を示す図である。
【図６】本発明に係る収容容器が、許可されていない人物による許可のない収容容器の開放の試みを監視するように設定することができることを示す図である。
【発明を実施するための形態】
【００６７】
図１は、本発明に係る収容容器３の本実施形態におけるドアパネル１及びドアフレーム２の一部分の概略図を示し、収容容器３の後壁３ａはその上部領域において、ここでは破線で示されるつまみ３ｂと結合し、すなわち、このつまみ３ｂは収容容器３の上方後部端上に配置されており、収容容器３から離れたつまみ３ｂの端部３ｃは厚く形成され、それにより、つまみ３ｂの平坦な薄い領域は、ドアパネルの上部端にあるドアパネル１とドアフレーム２との間の隙間を通ることができるが、このつまみは一度ドアが閉められると、隙間を通して引き抜くことができない。
【００６８】
一度ドアが閉められると、収容容器３はそのため安定し、破壊されることなくしては外すことができない。ここで、つまみはテキスタイル領域によって形成することができる。
【００６９】
収容容器３は、ここで、開けられるフラップ４を前側に有し、ここでは示されていない通信部に少なくとも電子的に接続される表示部を任意選択的に有する制御領域又は制御要素５も有する。
【００７０】
配送業者はそのためフラップ４を開けて、小箱郵便物又は小包郵便物を収容容器３に入れ、フラップ４を少なくとも機械的に閉じて、その後、メッセージを通信部に又は制御要素５上で送信することによって小箱又は小包が入れられたことを確かにし、これを受けて、開放可能なフラップ４は電気閉止機構によってロックされ、本発明に係る構成に従ってメッセージが登録通信アドレスに送信されて、郵便物の所有者及び意図される受領者に、郵便物が入れられたことを通知する。
【００７１】
この手順は、図２に実質的に示され、図２は左側において、フラップ４の開放を示し、それにより、配送エージェント６は小箱７を、解放された収容容器３の容積に入れることができる。
【００７２】
ここで、更なる構成は、制御パネル５上のトリガー要素８を作動させることによって、配送エージェント６に、ＤＥ−Ｍａｉｌ法に準拠する、配送業者９の物流センターと、受領者１１の通信デバイス１０の登録通信アドレスとの双方へのメッセージをトリガーさせることも可能にすることができる。これらのメッセージは、収容容器内の通信部によって生成される。トリガー要素を作動させる代わりに、配送エージェントは、同じ手順をトリガーするメッセージ、すなわち、前述のメッセージの送信をトリガーするメッセージを通信部に送信することもできる。
【００７３】
そのため、小箱の法的に健全な送付も、ＤＥ−Ｍａｉｌ法に準拠するメッセージによって果たすことができる。
【００７４】
ＤＥ−Ｍａｉｌを送信する際の特定の構成とは別に、メッセージの送信はＤＥ−Ｍａｉｌ法の根底をなす認証プロセスなくして実行することもできるし、任意選択的に、メッセージの送信は完全になしで済ませることができる。そのため、配送エージェント６は、小箱７を入れた後に、単にフラップ４を閉めて、制御パネル５上のトリガー要素８を作動させることによって、特に電気的に開口のロックをもたらす。
【００７５】
図３は左側に、変形形態について既に説明した実施形態を示し、それによると、本発明に係る収容容器３はドアパネル１の上部端にあるドアフレーム２に固定される。
【００７６】
右側の表示は、本発明に係るタイプの収容容器３が、地面に置かれるように固定することができることも明らかにしており、この目的のため、冒頭で既に述べたタイプのつまみ３ｂが収容容器３の後部端に配置されるが、つまみはこの場合、ドアパネル１と床１１との間の隙間を通じて通される。
【００７７】
この変形形態は更に、底壁に対して上げることができるとともに、例えば柔軟性があり又は組立可能な／折り畳み可能な側壁３ｅを有する上壁３ｄによって、収容容器３を折り畳み可能に構成することができることを明らかにしている。
【００７８】
例えば、図３は右側に、本発明に係る収容容器３の畳まれた実施形態がドアマットの外観を有し、広げられた状態においてのみ、箱又はケースの形態を取っており、その内部に小箱又は小包郵便物を保持するのに適していることを示している。
【００７９】
他の実施形態は、既に上述した図に関連して説明され、すなわち特に、通信関連構成及びメッセージの送信又はロック手段若しくは閉止機構の作動について説明される。
【００８０】
図４は、収容容器の本発明に係る実施形態の寸法が、その容積が通常発生する全ての小包郵便物の少なくとも８０％を好ましくは収容することができるように選択されることを示している。
【００８１】
これを実現するために、４５ｘ３５ｘ２０ｃｍの外形寸法を有する小箱、それゆえドイツの運送会社DHL社又は郵便業者の通常の小箱セットＬを少なくとも保持できることを好ましくは可能にすることができる。
【００８２】
１つの更なる実施形態は、サイズ５２ｘ３５ｘ２１ｃｍの小箱を少なくとも保持することを可能にすることができ、それにより、通販会社の通常の小箱サイズは収容容器の内部に通常入れることができる。
【００８３】
図５は、本発明に係る収容容器を用いることによって、より大きな小箱郵便物又は物を安全に配送することも可能にする変形形態を示しているが、この物は直接的に収容容器の内部には置かれていない。
【００８４】
例えば、１つの実施形態は、取り付け要素１２、ここでは例えばスチールケーブルを収容容器３の中で又は収容容器３に取り外し不可能に固定することができることをここでは可能にすることができ、この要素は、配送される物、ここでは非限定的な例として１組のスキー板をこのスチールケーブルを用いて固定することを可能にすることができる。
【００８５】
１つの代替的な構成は、原理的にはより大きな体積のネット１４が収容容器３の内部から取り出され、そして配送される物を中に置くことを可能にすることもできるが、このネットは少なくともこのネットが破壊されるまでは、収容容器３と分離不可能に接続されたままとなる。
【００８６】
図６は更に、本発明に係るタイプの収容容器３が、許可をされていない人物１５による許可のないこの収容容器の開放の試みを監視するか、又は示すように設定することができることを示す。
【００８７】
収容容器の開放が提供される手段によってもたらされなかった場合には、例えば、収容容器の通信部へのメッセージの送信によって、又は例えば制御パネル５上にコードを入力することによって、光タイプ若しくは音声タイプのアラーム又は例えばＳＭＳ若しくはｅ−ｍａｉｌのような送信メッセージの形式でのアラームをトリガーすることができる。
【００８８】
この目的のため、本発明に係る収容容器のフラップ４を、フラップ４の開口を監視するセンサーとともに構成し、例えば制御パネルを介して又は通信部でメッセージを受信することによって等の意図される方法で開放が発生しない場合には、アラームをトリガーすることも可能にすることができる。
【図１】
2016515415.tif 000003
【図２】
2016515415.tif 000004
【図３】
2016515415.tif 000005
【図４】
2016515415.tif 000006
【図５】
2016515415.tif 000007
【図６】
2016515415.tif 000008
【国際調査報告】
2016515415.tif 000009
2016515415.tif 000010
2016515415.tif 000011
2016515415.tif 000012
2016515415.tif 000013
2016515415.tif 000014